(57)【要約】【課題】部品の寸法精度を向上させることなく、スムーズな開閉操作をできるようにする。【解決手段】第１の筐体の裏面にクッション部材を設け、第２の筐体５の表面に閉じ状態でクッション部材が当接する第１当接部１５と、開き状態でクッション部材が当接する第２当接部１６とを設ける。第１当接部１５と第２当接部１６との間にクッション部材との間に隙間を保つ回避溝部１７を設け、この回避溝部１７の一端と第１当接部１５との間及び回避溝部１７の他端と第２当接部１６との間に傾斜面１８を形成する。【選択図】図１
2014127761.tif 000002
【特許請求の範囲】
【請求項１】
第１の筐体が第２の筐体に重なり合う閉じ状態と、第１の筐体が第２の筐体に対してスライド移動して第２の筐体の少なくとも一部が現れる開き状態とで切換可能なスライド式携帯端末において、
上記第１の筐体の裏面に設けられたクッション部材と、
上記第２の筐体の表面に設けられ、上記閉じ状態で上記クッション部材が当接する第１当接部と、
上記第２の筐体の表面に設けられ、上記開き状態で上記クッション部材が当接する第２当接部と、
上記第１の筐体の上記第２の筐体に対するスライド移動を補助する弾性部材と、
上記第１当接部と上記第２当接部との間に形成され、上記クッション部材との間に隙間を保つ回避溝部と、
上記回避溝部の一端と上記第１当接部との間及び上記回避溝部の他端と上記第２当接部との間にそれぞれ形成された傾斜面とを備えている
ことを特徴とするスライド式携帯端末。
【請求項２】
請求項１に記載のスライド式携帯端末において、
上記回避溝部の底面は、断面山形に盛り上がっている
ことを特徴とするスライド式携帯端末。
【発明の詳細な説明】
【技術分野】
【０００１】
本発明は、第１の筐体が第２の筐体に重なり合う閉じ状態と、第１の筐体が第２の筐体に対してスライド移動して第２の筐体の少なくとも一部が現れる開き状態とで切換可能なスライド式携帯端末に関するものである。
【背景技術】
【０００２】
従来より、この種のスライド式携帯端末は、第１の筐体にスライドレール部が設けられ、第２の筐体にスライドレール部を摺動可能に受け入れるスライドガイド部材を備えることは知られている（例えば、特許文献１参照）。このようなスライド式携帯端末では、第１の筐体と第２の筐体との間の隙間を安定させたり、両筐体が擦れたときに滑りをよくするために、第１の筐体に摺動性のよい成形部材やクッションを設けることが知られている。この場合、第２の筐体のクッション部材が当接する面は、第１の筐体との隙間を均一にするために、第１の筐体に対して平行となっている。
【先行技術文献】
【特許文献】
【０００３】
【特許文献１】特開２００９−２０６５８７号公報
【発明の概要】
【発明が解決しようとする課題】
【０００４】
しかしながら、従来のスライド式携帯端末では、各部品の寸法や組立作業のバラツキを考えたとき、例えばいずれかの筐体に反りがあると、両者間の隙間が不均一になり、筐体間の擦れが発生する。擦れを防止するために筐体間の隙間を大きくすると、ガタの増大などによる品質の低下となるので、寸法精度を上げざるを得ない。
【０００５】
そして、反りによる擦れが第１の筐体の開き時や閉じ時の弾性部材による自走を始める地点の近傍にあると、弾性部材の付勢力が擦れの抵抗に負けてしまい、自走が十分に行われずに、ワンタッチで簡単に開閉操作を行うことができなくなるという問題がある。
【０００６】
本発明は、かかる点に鑑みてなされたものであり、その目的とするところは、部品の寸法精度を向上させることなく、スムーズな開閉操作をできるようにすることにある。
【課題を解決するための手段】
【０００７】
上記の目的を達成するために、この発明では、第１当接部と第２当接部との間にクッション部材との間に隙間を保つ回避溝部を設けた。
【０００８】
具体的には、第１の発明では、第１の筐体が第２の筐体に重なり合う閉じ状態と、第１の筐体が第２の筐体に対してスライド移動して第２の筐体の少なくとも一部が現れる開き状態とで切換可能なスライド式携帯端末を前提とする。
【０００９】
そして、上記スライド式携帯端末は、
上記第１の筐体の裏面に設けられたクッション部材と、
上記第２の筐体の表面に設けられ、上記閉じ状態で上記クッション部材が当接する第１当接部と、
上記第２の筐体の表面に設けられ、上記開き状態で上記クッション部材が当接する第２当接部と、
上記第１の筐体の上記第２の筐体に対するスライド移動を補助する弾性部材と、
上記第１当接部と上記第２当接部との間に形成され、上記クッション部材との間に隙間を保つ回避溝部と、
上記回避溝部の一端と上記第１当接部との間及び上記回避溝部の他端と上記第２当接部との間にそれぞれ形成された傾斜面とを備えている。
【００１０】
上記の構成によると、クッション部材が、閉じ状態で第１当接部に当接し、また、開き状態で第２当接部に当接することにより、閉じ状態及び開き状態での第１の筐体と第２の筐体との間でのぐらつきが防止される。そして、閉じ状態又は開き状態からスライド移動を開始するときには、手で第１の筐体を押せば、傾斜面においてクッション部材との摩擦が徐々に弱まる。その後は、回避溝部によりクッション部材との隙間が確保されているので、反対側の傾斜面に至るまで弾性部材の付勢力により、スムーズに第１の筐体がスライド移動する。最後に傾斜面とクッション部材との間で徐々に摩擦力が加わり、第１の筐体が滑らかにスライド移動を停止する。回避溝部があるので、部品の寸法精度を向上させなくても、隙間が確実に確保され、ワンタッチでスムーズなスライド操作が行える。
【発明の効果】
【００１１】
以上説明したように、本発明によれば、閉じ状態又は開き状態でクッション部材がそれぞれ当接する第１当接部と第２当接部との間に、クッション部材との間に隙間を保つ回避溝部を形成し、この回避溝部の一端と第１当接部との間及び回避溝部の他端と第２当接部との間にそれぞれ傾斜面を形成したことにより、部品の寸法精度を向上させることなく、スムーズな開閉操作を行うことができる。
【図面の簡単な説明】
【００１２】
【図１】本発明の実施形態に係るスライド式携帯電話機の第２の筐体を示し、（ａ）が正面図で、（ｂ）が側面図で、（ｃ）がスライド力の変化を示すグラフである。
【図２】閉じ状態のスライド式携帯電話機を示し、（ａ）が正面から見た斜視図で、（ｂ）が背面から見た斜視図である。
【図３】開き状態のスライド式携帯電話機を示し、（ａ）が正面から見た斜視図で、（ｂ）が背面から見た斜視図である。
【図４】図２（ａ）のIV−IV線拡大断面図である。
【図５】第２の筐体を一部拡大した正面から見た斜視図である。
【図６】第１の筐体を一部拡大した背面から見た斜視図である。
【図７】その他の実施形態に係る図１相当図である。
【図８】図７のVIII−VIII線拡大断面図である。
【発明を実施するための形態】
【００１３】
以下、本発明の実施形態を図面に基づいて説明する。
【００１４】
図１は、本発明の実施形態に係るスライド式携帯端末としてのスライド式携帯電話機１の第２の筐体５を示し、（ａ）が正面図で、（ｂ）が側面図で、（ｃ）がスライド力の変化を示すグラフである。図２は、閉じ状態のスライド式携帯電話機１を示し、（ａ）が正面から見た斜視図で、（ｂ）が背面から見た斜視図である。図３は、開き状態のスライド式携帯電話機１を示し、（ａ）が正面から見た斜視図で、（ｂ）が背面から見た斜視図である。スライド式携帯電話機１は、正面側に表示部２を有する第１の筐体３と、正面側に操作部４を有する第２の筐体５とを有する。そして、図２に示す第１の筐体３が第２の筐体５に重なり合う閉じ状態と、図３に示す第１の筐体３が第２の筐体５に対してスライド移動して第２の筐体の少なくとも一部が現れる開き状態とで切換可能に構成されている。
【００１５】
図４は、図２（ａ）のIV−IV線拡大断面図であり、図５は、第２の筐体５を一部拡大した正面から見た斜視図であり、図６は、第１の筐体３を一部拡大した背面から見た斜視図である。スライド式携帯電話機１は、第１の筐体３の背面と、第２の筐体５の正面との間にスライド機構１０を備えている。このスライド機構１０は、図６に示すように、第１の筐体３の裏面を覆う金属製の背面フレーム１１の左右端部に平行に並べられたレール部１１ａと、第２の筐体５の正面上部にねじ止めされる金属製のスライダ１２とを備えている。スライダ１２の左右両端にそれぞれ設けた係合部１２ａが、一対のレール部１１ａを左右外側から抱えるように摺動可能に係合されている。また、一端が第１の筐体３の背面フレーム１１に回転可能に連結され、他端がスライダ１２に回転可能に連結された、例えば複数のＶ字状バネ部材よりなる弾性部材１３が設けられている。図１（ｃ）に示すように、弾性部材１３は、第１の筐体３の第２の筐体５に対する開き操作及び閉じ操作のいずれも補助するスライド力Ｆが加わるように、各端部の連結場所が設定されている。そして、図４及び図６に示すように、第１の筐体３の裏面におけるレール部１１ａの下端部の左右外側には、クッション部材１４が設けられている。クッション部材１４は、例えば、摺動性のよいエラストマーよりなり、背面フレーム１１を含む周囲よりも所定高さｈだけ第２の筐体５側へ膨出している。
【００１６】
そして、図４及び図５に示すように、第２の筐体５の表面は、中央部分が周縁よりも低くなり、その低くなった部分に操作部４の複数の操作キー６が配置されている。この操作部４の左右外側には、閉じ状態でクッション部材１４が当接する第１当接部１５が形成されている。この左右一対の第１当接部１５は、第２の筐体５の正面側を構成する、正面側キャビネット５ａにおける操作部４の下側を囲む操作部４よりも一段高くなった周縁部の上端に形成された平坦面よりなる。また、正面側キャビネット５ａの表面の上下中央の左右端部には、開き状態でクッション部材１４が当接する第２当接部１６が形成されている。第２当接部１６は、操作部４の上側の操作部４の表面よりも高くなった部分の下端の平坦面で構成されている。
【００１７】
また、第１当接部１５と第２当接部１６との間には、クッション部材１４との間に隙間を保つ回避溝部１７が形成されている。この隙間の大きさは、例えばレール部１１ａと係合部１２ａとの間の遊びと製造誤差とを足した値よりも大きく設定するとよい。本実施形態では、図２に示すように、回避溝部１７の左右外側は、開放され、閉じ状態で側面から第１の筐体３裏面との間の隙間を目視できるようになっている。また、回避溝部１７の下端と第１当接部１５との間及び回避溝部１７の上端と第２当接部１６との間には、それぞれ上下方向外側に向かって徐々に高くなる傾斜面１８が形成されている。これら第１当接部１５、第２当接部１６、回避溝部１７及び傾斜面１８は、例えば正面側キャビネット５ａの成形時に一体に形成されている。
【００１８】
−実施形態の効果−
図１（ｃ）に示すように、弾性部材１３により第１の筐体３に対してスライド力Ｆが加わる。まず、閉じ状態では、第１の筐体３を閉じ状態に保持するように下向きのスライド力Ｆが加わっている。そのとき、クッション部材１４が第１当接部１５に当接することで、第１の筐体３と第２の筐体５との間でのぐらつきが防止される。
【００１９】
閉じ状態からスライド移動を開始するときには、手で第１の筐体３を弾性部材１３の下向きのスライド力Ｆに抗して上方へ押し上げる。すると、スライド力Ｆが０となる中間点を超えれば、上方へ押し上げる弾性部材１３によるスライド力Ｆが加わる。このとき、回避溝部１７によりクッション部材１４との隙間が確保されているので、反対側の傾斜面１８に至るまで自動でスムーズに第１の筐体３がスライド移動する。
【００２０】
そして、最後に傾斜面１８とクッション部材１４との間で徐々に摩擦力が加わり、第１の筐体３が滑らかにスライド移動を停止する。このため、停止時に不快な衝撃を受けない。
【００２１】
また、クッション部材１４が開き状態で第２当接部１６に当接することにより、開き状態での第１の筐体３と第２の筐体５との間でのぐらつきが防止される。
【００２２】
開き状態から閉じ状態に戻す場合は、上記とは逆に手で第１の筐体３を上向きのスライド力Ｆに抗して押し下げればよく、この場合も、回避溝部１７によりクッション部材１４との隙間が確保されているので、中間点を超えると、下向きのスライド力Ｆにより反対側の傾斜面１８に至るまで自動でスムーズに第１の筐体３がスライド移動する。
【００２３】
このように、回避溝部１７があるので、部品の寸法精度を向上させなくても、隙間が確実に確保され、ワンタッチでスムーズなスライド操作が行える。
【００２４】
したがって、本実施形態に係るスライド式携帯電話機１によると、第１当接部１５と第２当接部１６との間にクッション部材１４との間に隙間を保つ回避溝部１７を形成し、この回避溝部１７の上端と第１当接部１５との間及び回避溝部１７の下端と第２当接部１６との間にそれぞれ傾斜面１８を形成したことにより、部品の寸法精度を向上させることなく、スムーズな開閉操作を行うことができる。
【００２５】
−実施形態の変形例−
図７は、その他の実施形態に係る図１相当図であり、図８は、図７のVIII−VIII線拡大断面図であり、回避溝部１１７の形状が異なる点で上記実施形態と異なる。なお、本変形例では、図１〜図６と同じ部分については同じ符号を付してその詳細な説明は省略する。すなわち、上記実施形態では、回避溝部１７の底面は平坦面で構成されているが、本変形例のように、回避溝部１１７の底面を断面山形に盛り上がるように構成してもよい。
【００２６】
このように構成すると、図７（ｃ）にハッチングで示すように、隙間の設定具合によっては、多少の摩擦力が加わってしまうが、上記実施形態に比べて側面から見たときに回避溝部１１７の底面が盛り上がっているので、第１の筐体３裏面との間の隙間が目立たず、回避溝部１１７を設けたことによる第２の筐体５の表面の見映えの悪化が低減される。
【００２７】
（その他の実施形態）
本発明は、上記実施形態について、以下のような構成としてもよい。
【００２８】
上記実施形態では、弾性部材１３は、スライド移動中間点でねじれ角度が最大となり、上方と下方との両方へのスライド移動を補助しているが、いずれか一方のみの補助を行うようにしてもよい。
【００２９】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３０】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３１】
１      スライド式携帯電話機（スライド式携帯端末）
２      表示部
３      第１の筐体
４      操作部
５      第２の筐体
６      操作キー
１０      スライド機構
１１      背面フレーム
１１ａ    レール部
１２      スライダ
１２ａ    係合部
１３      弾性部材
１４      クッション部材
１５      第１当接部
１６      第２当接部
１７      回避溝部
１８      傾斜面
１１７      回避溝部
【図１】
2014127761.tif 000003
【図２】
2014127761.tif 000004
【図３】
2014127761.tif 000005
【図４】
2014127761.tif 000006
【図５】
2014127761.tif 000007
【図６】
2014127761.tif 000008
【図７】
2014127761.tif 000009
【図８】
2014127761.tif 000010